(57)【要約】本発明は、ベースモジュールを寸法どりするのに使用され得る構造要素によって形成される大きな開口を含む、膨張式構成体に関する。前述のモジュールは、その表面数を増大するのに使用され得る手段を含む。本発明によれば、大きな開口の内周のいくつか（または）すべては、付属品、ネット、セイル、コード、ハンドルを固定するのに使用される固定手段を含み、よって多適用を可能にする、繊維のバンドを備えていてもいなくともよい。
2006525042.tif 000002
【特許請求の範囲】
【請求項１】
a)構造体（１）中に、複数のエレメントの部材間の広い開口（５）、ベースモジュールの形の構造体（１）の外面及び表面を定める開口（５）を形成するのに使用する十字形（２）、Ｔ−バー（４）、コーナー（３）、曲がりを含み、前記ベースモジュールは、外面に移送手段を、そして少なくとも一つの空気室に対応する膨張／収縮バルブ（１９）を含み、該モジュールは、自前で使用し得る、
ｂ）このように組み立てた該モジュールは、ネット又は帆布（１８）及び少なくとも一つの開口（５）の内／外周の少なくともある高さに結合した付属品（１６）（１１）、ネット又は帆布（１８）及び付属品（１６）（１１）の固定手段（１０）（６６）（７）（１７）（７０）を含み、後者が人間の体を傷付けうる衝突を引き起こしそうな場合、折り畳まれ得、衝撃を吸収する保護繊維条片で覆われる、該モジュールは、自前で使用し得る、
ｃ) このように組み立てたモジュールa又はbは、２個のモジュール間のブリッジ（９）を設ける手段を有し、これら手段（５９）（１１）（１２）（７）（１３）（６０）（６６）（６７）（４９）は、隣接する構造体が場所のどこに置かれようと、ベースモジュールの各々の側部に繰り返され、
d)一緒にされる１以上のモジュールからなる膨張式構造物（１）は、下から構造体への接近を防止するのが望ましい場合は、重くしたネット（４７）を底面外周の外囲に付着させる手段を有する、
e）前記膨張式構造物（１）は、衝突及び衝撃に耐えようとする場合は、保護片（６８）を有する、
ことを特徴とする膨張式構造物。
【請求項２】
スイミングプールにおける救命用膨張式構造物（１）は、下面がスイミングプールの内寸法と同じ寸法の金属製格子（６９）に面し、該格子は、格子の下に具備するコネクター内に位置する繊維条片（２６）に滑り込むバー（２２）、コーナー（２５）、Ｔ−バー（２３）、十字形（２４）を含み、該金属製格子（６９）は、スイミングプールの基底上に位置するか、スイミングプールの基底中に埋設させる、スイミングプール壁は、構造体（１）上に置いた保護片（６８）又は金属製格子（６９）上に配設した耐衝撃体又はスイミングプール壁によって衝撃から保護される、ことを特徴とする請求項１（b）、（c）、（e）記載の膨張式構造物。
【請求項３】
２個のモジュール間のブリッジ（９）は、アイレット（７）を有する２個の繊維条片を使用することにより製造され、これら繊維条片は、一方は他方の先端に置くか又は並べて、一緒にされるべきモジュール面の上端に結合され、これらを一緒にするためアイレット（７）にロープ１１を、上下に又はジグザグ状に通過させ、各々の端に結び目（１２）を付け、紐の縛りを覆う保護繊維条片（４９）を付ける、ことを特徴とする請求項１（a）、（ｂ）記載の膨張式構造物。
【請求項４】
ブリッジ（９）、ネット（１８）又は帆布を固定するのに両頭フックを使用する、ことを特徴とする請求項１（a）、（ｂ）、（c）記載の膨張式構造物。
【請求項５】
ループ（６０）を有するロープを、ブリッジ（９）、ネット（１８）又は帆布を、アイレット（７）を有する繊維条片（１０）又はアイレット（１３a）（１３ｂ）を有する２個の繊維条片（１０）と一緒に結合又は取り外しするのに使用する、ことを特徴とする請求項１（a）、（ｂ）、（c）、記載の膨張式構造物。
【請求項６】
２セットの係留けい柱又はフックを用意し、各々を繊維条片（６７）に結合させて、ブリッジ（９）、ネット（１８）又は帆布を、紐での縛りに使用したロープによって、一緒に結合又は取り外しし得るようにする、ことを特徴とする請求項１（a）、（ｂ）、（c）、記載の膨張式構造物。
【請求項７】
ミニチュア係留けい柱又はフックを有する繊維条片を、ネット又は帆布（１８）の端のループと連結し、これらを取り付ける、ことを特徴とする請求項１（ｂ）、（c）、（d）、（e）記載の膨張式構造物。
【請求項８】
救命いかだの適用において、非ロックされ、移動して離れ、再ロックされ得るすかし細工構成を水の漏らないようにし、該すかし細工構成を水の漏らない帆布上に置き、いかだの床面を形成する、ことを特徴とする請求項１（ｂ）、（c）、（e）記載の膨張式構造物。
【請求項９】
二つの一緒にしたチューブ（８）から形成される構造体であって、該構造体は少なくとも一つの横木を備え、該横木は２本の腕の延長上に固定され、それによって、操縦及びブレーキ掛けの手段（３０）（３１）（３５）（３４）（３２）（４０）（４１）（３６）（３７）（３８）（３９）（４４）（４６）（２０）（５６）（５５）（５７）によって、立つか又は座るかの位置で運転し得るトボガンを形成する、ことを特徴とする請求項１（a）、（ｂ）、（e）、４、５、６、７記載の膨張式構造物。
【請求項１０】
膨張式構造物は、取り外し得る舵及びブレーキシステム（３０）を備え、該ブレーキシステムは、ハンドルバー３１を有し調節し得る位置に置かれ得る関節でつながった曲げ易い管状軸からなり、該管状軸の位置は管状軸挿通した金属ロッド（３５）によってロックされ、該金属ロッドは横切ったバー（３２）上に自由に位置し、該バーは幅が伸張してもしなくともよく、バー底部の左右の各々の端にロッド４０を有し、ロッドは、チューブの何れかの側にある雌取り付け固定手段（４１）内に位置し；フック（３８）を有する管状軸（３０）の底部は、他のフック（３８）によってブレーキプレート（３６）に結合した懸垂手段（３７）（３８）に結合され、該プレート（３９）の一部は地面をブラッシングする、ことを特徴とする請求項１（a）、（ｂ）、（e）、４、５、６、７、９記載の膨張式構造物。
【請求項１１】
一部がチューブ（８）の形状に適合し、管状部（５６）を有する舵軸（３０）からなる操縦システムであって、関節でつながった曲げ易い調節し得る位置に取り付けられ得る舵軸（３０）は、チューブの内面のいずれかの側に固定された足置きに位置し、座った位置及び立った位置の両方で操縦し得る単一のブレーキ及び操縦プレートに達する、ことを特徴とする請求項１（a）、（ｂ）、（e）、４、５、６、７、９記載の膨張式構造物。
【請求項１２】
ブレーキプレートは、二つのプレート間に固定された曲げ易い材料のZ-形片であり、上部プレートはチューブにリンクした固定若しくは懸垂手段（３７）（３８）が備えられている、ことを特徴とする請求項１（a）、（ｂ）、（e）、４、５、６、７、９，１０，１１記載の膨張式構造物。
【請求項１３】
空気を抜いて折り畳んだ構造体は、ジッパーファスナー、ひも（４３）及びハンドル（１５）を備え、ローラーを有する板に載せた防水帆布、スーツケース又は箱にいれて運ばれる、ことを特徴とする請求項１（a）、（ｂ）、（c）、（d）、（e）、３〜１２記載の膨張式構造物。
【請求項１４】
トボガンのベースは、密閉を可能とする手段を有する請求項１（ｂ）、（c）、（e）、４〜７、９〜１３記載の膨張式構造物。
【発明の詳細な説明】
【技術分野】
【０００１】
膨張式構成体は、自在とされる広い開口間のチューブにより形成される。これら構成体の表面積は、その部材、横、隅、Ｔバーおよび曲がりを構成する要素数を増加することによって創成されることにより、それ自身に使用されるベースモジュールを創成する。このように形成されたモジュールは、これら開口の少なくとも１つ、またはこれら開口のすべてにおいての内周面に、取り付け手段を伴う繊維条片からなり、この繊維条片は、ネット、帆布または付属品が固定されるチューブの高さに固定される。
【０００２】
望ましくは、この表面にブリッジを付加し、その上を歩けるようにし、このブリッジは、広い開口数の増加が望まれる任意数のベースモジュール面に模造される。
【背景技術】
【０００３】
背景技術の１部を形成する書類ＷＯ  ０１／０６０７６  Ａ１は、膨張式グリルを開示し、そのすべての開口には、開口がロックされ得、移動して離れ、再ロックされ得るすかし作業ネッチングが備えられているこのグリルはスポーツグランドおよびスイミングプールで救命いかだとして使用され得る。９ページ、２６行に記載されているように、ネッチングに使用される固定手段は、ネッチングを固定するには全く十分ではなく、アイレットが、２つの重合帆布の接合部の延長に直接置かれるので、構成体をより脆くする、図３。
スイミンングプール
上記書類は、グリルをスイミングプールの底部に戻せる重量測定の問題に向けられていないのは、より重い物質とともに水に平坦座する減圧チューブの表面の重さを量ることが必要なためである。さらにまた、グリルはセクションにより構成されているため、その上を歩行する人は誰でも、膨張し並置した位置にある時接合点で２つのチューブ間に脚が置かれないようにするものはない。
【０００４】
書類ＦＲ  ２  ５０５  ９１４はスイミングプールの縁部のまわりの剛性フレームを開示し、その上にネットが張られてスイミングプール全体を被覆し、フロートがフレームを表面に引き上げる。この剛性はこの設計のフレームが負荷を受けると曲がるため問題となる。
【０００５】
９ページで、公報ＷＯ  ０３／０１５０４６は、ネットを張るのに使用される、グリルの周囲に位置する延長し得るフレームについて述べている。このフレームは、移動されて、軸線に沿って位置するチューブの下に座するようにし、チューブの直径によっては、フレームとスイミングプールの縁部との間に１５から２０ｃｍの隙間を残して、リム、腕または足が引き上げられるとフレームとスイミングプールの縁部との間に捕捉される。
救命いかだ
書類ＤＥ３２  １０５９０  Ａ1は、フックにより取り付けられるユニットにより構成される救命いかだを開示する。表面が連結される道のため２つの表面間の接合点で歩行はできない。書類ＷＯ０２/０７９０２７は単ユニットからなる可逆救命いかだを開示する。
スポーツグランド
スポーツグランドを包含する適用に対し、書類ＵＳ  ５，８１０，６９５、ＵＳ  ６，５０８，６８２に記載されるケースのように、従来技術は水トランポリンを開示し、これらトランポリンは、キャンバスを上置した中央開口を有する空気室からなり、ばねまたは弾性ロープもしくは両方を固定システムとして使用し剛性チューブ上に取り付けられるため、ジャンプやリバウンドできる。これらは、単キャンバスまたはベルト上をジャンプできるように必然的に設計され、他の活動をさせるように早急な取り付けや取り外しを考えていない。書類ＵＳ６，２２３，６７３はアクセスランプに対するトランポリンを開示し、２つの接合チューブが嵌合してスライドを形成する。このシステムは、ベルト上をジャンプでき、アクセスランプがトランポリンの取り付けや取り外しに使用され、さらにスライドがそこから降りるのに使用されるべく設計されている。これらトランポリンは、トランポリンに乗り降りするトランポリンやゲーム以外のスポーツ用にも使用され得るが、そのように設計されていないため可能性活動の面で制限される。
【０００６】
ここに記載される膨張式構成体の場合、これは反応する構成体自身であり、一方、標準トランポリンの場合、構成体はチュービングにより剛性とされ、リバウンドさせる弾性ロープおよび（または）ばねに対する張りである。この膨張式構成体はまた、創生される多ゲーム用ベース表面を可能にし、ネット、帆布、および付属品の早急取り付け取り外しができ、この表面は、ブリッジによって、その各側面に付加できる。
雪中の適用
書類ＵＳ  ４，８９４，０３３は、雪上で使用され得る膨張式マットレスを開示する。図９に示すオール掛けおよび図２に描かれる案内要素２２はマットレスを案内できるが、形状によりもたらされる与えられた体の位置でブレーキをかける手段がない。
【０００７】
書類ＵＳ  ４，２０６，９３３は、三角形膨張式構成体を有する小型そりを開示するが、これは走行中コーナーを回るのに巧みな操縦が難しい。
【発明の開示】
【発明が解決しようとする課題】
【０００８】
従って、本発明の目的は、各適用分野におけるこれら欠点および不都合を矯正できる多価膨張式構成体を提供することにある。本発明は、請求項１と他の請求項の特長の組み合わせにより定義される。
【０００９】
本発明の目的は、これらの不都合を解消することにあり、これは、例として示すが限定する意図のない異なる具体例を示す添付図面の記載からさらに容易に理解されよう。
【課題を解決するための手段】
【００１０】
【発明を実施するための最良の形態】
【００１１】
図１：コーナーを有する十字形２、この場合は直角コーナー３、Ｔ−バー４及び開口５を有し、ハンドル１５及び膨張／収縮バルブを有する膨張式構造物１を説明する。
図２：アイレット７を有する織物のストリップ１０を描く。織物のストリップは、後方に折り曲げられて４つの部分６を形成し、折り目を有する平面の２つの部分（説明の目的で図中離れている）は、固定手段、この場合はアイレット７で、接合若しくは結合３３され、規則的間隔離れて固定される。一方他の２つの部分は、開かれて後方に折り曲げられ、管８上で接合によって固定され、それからアイレットは、織物のストリップ４９で覆われる。
図３：如何に２個の構造物１を接合するかを説明する。その結合のブリッジ９は、各々アイレット７を有する２個の重ねた織物のストリップ５９から形成され、ストリップは接合されるべき２個のチューブ８のいずれかの側に固定、接合又は熱融着される。アイレット７に通されるロープ１１は、結び目１２によって固定される。織物のストリップ４９は、ロープを保護している（図では見えない）。
図４a:後方に折り曲げてループ６０を形成するロープ１１を描いた。
【００１２】
図４b：ロープ１１を跨るように固定される、アイレット１３を有する織物の広いストリップによって、ブリッジを形成するのに使用されるチューブ８を通す部分を説明する。織物の下の配置は、破線によって示されている。ロープ１１は、ループ６０を形成するようにアイレットを通して引っ張る。
【００１３】
図４c：２個の構造物１の間の接続を示す。ブリッジ９を形成するアイレット７を有する織物のストリップ１３ａは、ロープ１１が引かれるアイレットを有する織物の広いストリップ１３ｂを覆う。ロープ１１は、アイレット７を通して引かれてループ６０を形成する。織物のストリップ４９は、ロープ１１を覆い、結び目１２は、ブリッジの端部に縛り付けられる。
【００１４】
図４d：ループ６０を形成するロープ１１を説明する。ロープは、ネット１８に沿って配設され、ループは基部にリング５０によって保持されている。
【００１５】
図４e：チューブ８を説明する。織物のストリップ１０は、アイレット７及び異なる方法のアセンブリーを有する。この場合、ロープ１１は、ネット１８に固定される；アイレット７を通して引いたロープ１１のループ６０は、一方のロープが他方のロープに通され、それから左側に引いて、それらを固定する。紐は、織物のストリップに覆われる。
【００１６】
図４f：構造物１を通じた部分及び他のブリッジ組合せ法を描く；アイレット７を有する２個の織物の広いストリップ１３を結合させるため、ロープ１１をジグザグ状に通す。追加の織物のストリップ４９は、アイレット７を有する一方の織物のストリップ１３の一側に固定され、アイレットの全長を覆う。ロープ１１は、結び目１２によって固定される。
【００１７】
図４g：他のブリッジ組合せ法を説明する。これは、ゴムのストリップ６６上に載せた小型の繋ぎ止める柱からなり、例えばこのストリップは、構造物の各々の上の織物のストリップ６７に固定される。折り返される織物のストリップ４９は、繋ぎ止める柱と結び目１２を有する締め紐で終わるロープ１１を有するストリップ６６の各々を覆うように、各構造物に固定される。
図５：アイレット７及び付属品を有する織物のストリップ１０を備えた一個のチューブ８を通す部分を説明する。この場合、ロープ１１は、その端に結び目１２を有する。
【００１８】
図６：アイレット７及び付属品を有する織物のストリップ１０を備えた一個のチューブ８を通す部分を説明する。この場合、織物の保護ストリップ４９と足掛け１６を有する。
【００１９】
図７：アイレット７と、ネット１８を固定するダブルエンドフック１７を有するチューブ８に固定される織物のストリップ１０を描く。フック１７は、織物のストリップ４９によって覆われている。補強継ぎ目６５は、破線で見ることができる。
【００２０】
図８：内部に補強５７を有する膨張式マットレスの形に形成されたチューブ８を説明する。アイレット７を有する織物のストリップ１０、並びにフック又はロープを保護する固定した織物のストリップ４９、及び左手側のアイレット７及びハンドル１５を有する継目５８に結合した織物のストリップを見ることができる。
【００２１】
図９：４個の長方形から形成したモジュールの概略説明図である。２個の長方形は、アイレット７を有する織物のストリップ１０、ダブルエンドフック１７とここに示した横断面でこれらを覆う保護するストリップ４９を有するネット１８を備えている。２個の開口５は、空っぽのままである。側部の一つは、ハンドル１５、膨張／収縮バルブ１９を有する；織物の広いストリップ１３は、ループ６０を形成するアイレット７を通じて引くロープ１１を覆っている。ここの横断面で示される織物のストリップ４９は、ロープ１１を覆うために折り曲げられる織物のストリップ１３の延長部として供されている。
【００２２】
図１０：ネット１８を有する６個の機素、目だった太い線で示される織物の保護ストリップ４９及びハンドル１５からなるベースモジュールの一例を説明する概略図である。
【００２３】
図１１：ハンドル１５を有する１２の機素からなるモジュールを示す。このモジュールは、ネット１８と保護ストリップ４９とを備えた２個の機素、及びアイレット７を有する織物ストリップ１０を有する４個の機素、アクセサリー、脱離し得るネット又は帆布を結合する太い線で示される保護ストリップ４９、及びアイレットを有する織物ストリップを有さない６個の空の機素５を有する。ネットを固定するために使用した手段は、この場合は、可視では無い。
【００２４】
図１２：同じ寸法の他のモジュール２１と嵌め合わせ得る六角２１から形成される、ハンドル１５とネット１８を備えた４個の開口を示す、異なるタイプのモジュールの一例を説明する概略図である。ブリッジは、２個の構造物ＡとＢの間に、構造物Ａに固定されたアイレット１３ａを有する広いストリップによって、アイレット７を備えた織物のストリップ１３ｂを有する構造物Ｂと固定される。アイレット７を通してロープが引かれて、ループ６０を形成する。構造物ＡとＢは、他のモジュールを受け入れる用意のあるアイレット１３を備えた織物のストリップを有する追加の側面を有する。
【００２５】
図１３：プールに配置される膨張構造の形状に一致する第２の格子、金属製格子６９を説明する。プールは重みを付加する手段として使用され、格子はＴ−バー２４、十字形２４及びコーナー２５から構成されるバー２２から成り立っている。
【００２６】
図１４ａ：金属製の格子を支持するためチューブに結合する織物ストリップ２６の長さを有するチューブ８を横断面で説明する。
図１４ｂ：金属製格子の支持体２６として使用する織物ストリップを有するチューブ８を断面で描いた。金属製バー２２と水泳プールの壁２７の断面を示している。
【００２７】
図１５：鋭角で結合した２個のチューブ８、横木２８から成り立つトボガンを示す。網目１８、２個のハンドル１５、膨張／収縮バルブ１９、ハンドルバー３１及び破線で示されるアイレット１０を有する織物のストリップを備えた柔軟な、関節で接合する高さ調節可能な方向舵シャフト３０を見ることができる。
【００２８】
図１６：２つのチューブ８から形成されるトボガン（平底そり）またはボブであって、このボブは２つの区画を有し、その１つは、２つの横片２８、ハンドル１５、安全ベルト２９、ここで２本の目立って太い線で示す２つの足置き７１、ハンドルバー３１と、膨張／縮小弁１９を有する可撓関節高さ調節可能ラダー軸３０とともにネット１８を有し、ここで破線で示されるアイレット１０を有する繊維条片を示す。
【００２９】
図１７ａ：高さ調節可能な管状軸３０からなり管状軸のいずれかの側のオリフィス３４を示し、金属ロッド３５が管状軸に挿入され一定高さにユニットを保持する横バー３２に自在に座しラダーをピボットさせるラダーブレーキシステムを示す。また図示したように、横バー３２の下と各側にそれぞれロッド４０が示され、これらロッドは、チューブの内側に備える雌取り付け固定手段４１に収められる。
【００３０】
図１７ｂ参照。また、ばねまたは弾性要素、この場合弾性バー３７により管状軸３３に連結されるブレーキ手段３６として作動するプレートが図示され、これら弾性バーはフック３８に取り付けられ、一方プレート３６は足置き４４と案内目的でグランドをブラッシする部分を有する。このチューブは破線で示されている。
【００３１】
図１７ｂ：図１７ａに図示されるロッド４０の雌取り付け片４１を示す。
図１８ａ：２枚のプレート３６間に固定されるＺ形状撓み材条片４６、断面で示される足置き４４、グランド３９をブラッシする部分、からなり、また管状軸とフット２０を示し、破線はグランド４５を示している、ラダーブレーキシステムの他の実施例を示す。
【００３２】
図１８ｂ：この場合弾性要素またはバネ用フック３８、所望の高さであるがここでは図示しないチューブに設けられるフック３８にフックする３つの取り付け点を有するトップブレーキプレートを示す。
【００３３】
図１９：ローラ４２、条片４３およびハンドル１５を有するボードに取り付けられる防水帆布を説明する。
【００３４】
図２０：膨張式構成体の底部に取り付けられる重量ネット４７、構成体の下にあり破線で示す固定手段４８、およびネット１８を有する膨張式構成体１を描く。非ロックされ、移動して離れ、再ロックされ得るすかし細工構成１４をみることができる。ネットを固定するのに使用される手段上の保護条片はここでは目視できない。
【００３５】
図２１ａ及びｂ：各々、ネットを固定するのに使用される二重端部フック１７の断面を示す。狭い部分はアイレットに位置し、広い部分はネッチングの縁の周囲に係合する。矢印Ａはアイレットの牽引力を示し、矢印Ｂはジャンプ時、ネットに加わる力を示す。
【００３６】
図２１c：アイレット７を有する２つの繊維条片１０を連結するのに使用される別の設計の両端フック１７の断面を示す。矢印Ａはアイレットの牽引力を示し、矢印Ｂはジャンプ時ネット又は帆布に加わる力を示す。
【００３７】
図２２：水上使用構成体を封止する手段を示す。チューブ８に取り付けられるアイレット７を有する繊維の条片１０、およびここで図示されていない、帆布を支持するアイレット１０ｂを有する繊維条片を見ることができる。アイレット７と１０ｂを有する２条の繊維条片１０がロープ１１の手段により組み立てられる。これは、アイレット７を有する繊維条片１０を覆うために、アイレット１０ｂを有する繊維条片の縁部で接合される他の繊維条片５４により覆われ、繊維条片５４およびチューブ８における一連のボタン穴５２により、チューブ８に固定され、ボタンは条片５３に取り付けられ、繊維条片５４は、ここで目立って太い線で示す、吸収体５１として使用する部分を備える。繊維条片５４は、帆布が嵌合されると矢印方向に折り返される。
【００３８】
図２３：起立または着座のいずれかの位置でアームを舵取り使用する板材３６に直結される調節可能な撓み関節ラダー軸３０を示す。
【００３９】
図２４：ラダーブレーキシステムの支持体５５の例を描き、トボガンを構成するチューブ８の内側前部分に合うように設計された容量と形状を有する一片を示し、容量はラダー３０軸を受け入れる管状部５６を組み入れ、この容量はトップが平坦で、管状部３０が挿入された横バー３５は平坦域５７に着座されている。
【００４０】
図２５：ブリッジに設けられるへり６２を介しいずれかの側の各チューブにそれぞれスライドする、板材６１からなるバレーボールの取り付けブリッジを示す。板材６１には、ネットを保持する支柱がスロットされる管状受け部が固定される。Ｄ−形状リングをなすつな輪６４が、図示しない、レースによりネットまたは支柱を安定化するためチューブ８に設けられる。折り返し４９できる繊維条片がＤ−形状リング６４を被覆する。
【００４１】
図２６：繊維条片１０とネット上のループ７０に取り付けられたミニチュア係留ビットによりネット１８を固定する手段を示す。
【００４２】
膨張式構成体を構成体の種々設計オプションを例示するため以下記載するが、これらは例示のみで限定されない。
【００４３】
例えばベースモジュールは、この場合矩形で、１２の開口からなり、アイレット付繊維条片を有しない開口５が６つ、保護条片４９により被覆されるアイレット７付繊維条片１０を有する開口が４つ、およびネット１８を有する開口が２つである。図１１。
１つの変型は、すべての開口５のネットと付属品を受け入れられる、繊維条片１０と保護繊維条片４９を備えるアイレット７を有する同じ構成体となる。
【００４４】
１つの変型は、構成体のすべての開口にアイレット７、保護条片４９、およびネット１８を備えるものでよい。図１０、図２０。
【００４５】
他の変型は、アイレットを有する繊維条片１０有しないモジュールである。
【００４６】
各モジュールは、それ自身に使用され、ブリッジ９は、他の表面を付加したい場合側面の各々に創生される。
取り外し可能ネット
ネット１８は固定手段の簡単なシステムにより、所定位置に脱離し得るように固定される。図４ｄ−４e、図７参照。ネット用取り外し可能固定手段は、両端フック１７、タップーインであるが折りたたみ不能フック、クリップフック、ロープ11、ループ７０、図２６、ロープ用へり、このリストは限定されない。
【００４７】
４ｄ−４eに例示されるネットを固定する方法は、特に、早い。ループの長さが一度決められていると、これは、たとえば、接着剤によりまたはリングによりベースに固定でき、ついで、ループはアイレット内を通り左に引っ張られ、次のループはこのループ内を通り左に引っ張られる、等である。各端部のロープ端左ハンギングにより、２つのロープ端部はネットまたは帆布を固定するため一緒に取り付けられねばならない。システムの取り外しは同様に早い。これは図４ｇに例示するシステムに当てはまる。
ネット備え（または備えない）開口
固定手段と保護条片４９を有する繊維条片１０を、また、いくつかの開口５またはすべての開口5において、たとえば、図５，６でのロープ１１または足置き１６等付属品で固定することにより、新たな効果を創生し、ボールゲーム、機敏を要するゲーム、レーシング、物理的運動その他構成される任意数の想像できる活動を開発するように、水環境とビーチ若しくは柔軟な土地での双方での使用を許容する。
【００４８】
従って、構成体は、チェッカーボードのように設定され得、これは、単ブロックを組み入れ、またはバレーボールコート以上の大きさに合うように寸法付けした、ブリッジにより連結された数個のブロックからなる。
固定手段を伴う繊維条片  
アイレット７または固定手段を有する繊維条片１０は、縦方向に２つ折にされた長い、繊維片からなり、この折りたたみから開始して約１／３から１／２横切り、たとえば接合３３により一緒にされ、この部分は、条片の全長を横切り固定されたアイレット７、または固定手段、フック、係留ビットまたは、たとえばロープ用へりを有する。非溶着または非接合部３３は、２つの部分に分離され開き、ついで図２のようにチューブ８に固定または接合される。保護繊維条片４９は、固定手段でこの繊維条片１９に接合され、自由なままの保護繊維条片は、固定手段とロープを覆う。使用される材料の堅固性によっては、繊維条片1９は、たとえば、固定手段で少なくとも１個のシーム６５により補強される図７。このシームは、繊維条片1０または保護条片４９のいずれかに形成される。保護条片４９がロープを被覆できるほど重くなければ、たとえば、取り付け手段によりネットまたは帆布に固定される。これは、任意形式の構成体、スイミングプール、救命いかだ、スポーツグラウンド、トボガンに当てはまる。
【００４９】
必要により、繊維条片1０が耐えねばならないチューブへの緊張および収縮に応じて、縁部でチューブに結合される繊維条片により、また数センチ以上繊維条片１０を覆うことにより、上下部分を覆う。
【００５０】
アイレット７または固定手段を有する繊維条片１０は、ロープまたはフックを用い、重量ネット４７を嵌合する手段として、構成体の外側、下部のたとえば、ネットまたは帆布１８の足置きのような付属品の構成体の囲囲と内周のともに使用される。図２、４ｅ、５，６，７，８，９，１０，１１，１２，１５，１６，２０，２２，２６。チューブと選択活動部のサイズによっては、固定手段と保護条片４９を有する同じ繊維条片１０が、多数の所望高さで固定されることにより、使用可能性が増加する。
【００５１】
注釈：チューブ、ネットまたは帆布の表面、水またはグラウンドとの接触を決めるネットまたは帆布の高さ位置、および安全または遊戯目的の使用の直径比である。
【００５２】
高超音波周波数の溶着技術を使用することによって、アイレット７を有する繊維条片１０は、２つの部分で構成され、これらはシームで融合され、ハンドル、付属品、ロープ、ラダー、アイレット、および固定手段は所望によりこの条片に取り付けられ得る。図８。
突出要素
安全のため、たとえば、（半円形）Ｄ−形状リング６４またはつな輪等人体を害し得る構成体の上部の取り外し可能な突出要素は、またバレーボール支柱用のフォームで作られたブロック、コーク、または他の保護手段により、またはゴム等の他の保護手段により被覆される。図２５。
ネット及び固定手段
ネット又は帆布１８自体、例えば、全く自由に切断することができ、堅固さを大きくするため、次のような端止めで縁取りし得る。ロープ１１、繊維条片１０のアイレット７と組み合わされるループ６０を有するロープ、図４ａ，４ｄ、４ｅ；ミニチュア係留ビット６６によりでフック止めされるか、繊維条片１０の上にフック止めされるループ７０、図２６；アイレット７を有するヘリ若しくは他の繊維条片１０、図２２；又は他の固定手段、両端フック１７、図７、２１ａ，ｂ，ｃ、例えば弾性ロープ。
【００５３】
繊維条片１０の固定手段としては、例えば次のものが挙げられる：繊維条片１０の上に装備するミニチュア係留ビット６６の形のフック、ネット，帆布，例えば足置き（図６）のような付属品を結合し得るようにするアイレット図２，７，２６．
バレーボールのための支柱
ブリッジの左右の各々の側には、ブリッジを固定するためにどのシステムが選択されても、板材６１は、この目的で備えられているへり又はポケット６２中をスライドする。この板材の中央には、支柱を設ける管状部がある。支柱は、ネットをネジ止め又は組ませて装着するのに使用する。つな輪（この場合Ｄ−形状リング）チューブ８の側部の構造体に、支柱及びネットをレースで安定化するため配置される。Ｄ−形状リングは、折り返される繊維条片４９によって覆われうる、図２４。変法：円錐形の旗保持具が、単一に形成される場合は構造体に直接、又は板材６１に、結合される。これは、本来限定されない。
膨張／収縮安全性
各々の構造体には、空気室に連通する少なくとも１個の膨張／収縮バルブ１９が、備えられ、各バルブは、所望の位置に置かれた壁によって分離された構造体の内部のセクションに供給する。
【００５４】
構造体が閉環境を創成又は特にスポーツグラウンドに関しては陸から離れて使用する場合、非ロックされ、移動して離れ、再ロックされ得るネッチング又は帆布のすかし細工構成を含む、図２０。
【００５５】
他の影響を受けないスポーッを容易にする場合、救命いかだとは別にスイミングプールの覆いとして、海の適用のスタンダードとして使用されるタイプの膨張装置、又は逆の機能を有する空気吸引器を、膨張／収縮の目的に使用することができる。
救命いかだ
離れるように動き、非ロックされ、再ロックされ得るすかし細工構成が、例えば水密ジッパーのようないかなる手段によっても水密になされる。ネットは、離れるように動き、非ロックされ、再ロックが形成され得るすかし細工構成の水密織物帆布で置き換えられる。この帆布は、チューブに結合若しくは融着され、チューブに固定される帆布部を覆う保護ストリップを有するチューブに直接固定するか、又は帆布は、所望の高さに固定される繊維条片１０に結合若しくは融着される。これら固定手段は、トボガンに適用され得る。
【００５６】
それからバッグは、シェルター又はテントのみか、使用用途に応じて床及びグラウンドに固定する手段を有するシェルター又はテントを含む。
圧力開放バルブ
用途に応じて、膨張／収縮バルブに加えて、圧力開放バルブを備えることもでき、このようにすることによって、激しいショックの事態には、チューブを破裂させないで、空気を逃がすことができる。
輸送
この目的のため、ベースモジュールは、その外面の周りに、ロープ１１及びハンドル１５を有する。これらはまた、他の全ての用途に使用することもできる。
【００５７】
一方収縮状態においては、モジュールは、防水帆布の外面に装着したひも及びハンドル１５を有する防水帆布によって、ローラー４２を有するボード上に全体がおかれて運ばれる。別の方法としては、ロッキングシステム、ジッパー又はひも４３及び／又はハンドル１５を有する大きなスーツケースの形式に収容し、ローラー４２を有するボード上に載せる。
ブリッジ
ブリッジ９は、スイミングプール、スポーツ設備又は救命いかだで使用するため、設けられ得る。二つの表面間の接合は、ブリッジ９はどのような手段で形成されようと、平らな上を動いたり、チューブ８間をジャンプしたときに、日本の足が２個のチューブ８間に位置するのを避けるようにするため、装置に対し確かな剛性を付与しなければならない、図３，４ｃ，４ｆ，４ｇ。
【００５８】
ブリッヂは、取り付けによって形成すべきであるが、２個のモジュールは、ロープ１１がハンドル１５を縫うように通すことによって、結合させることができる。
【００５９】
解決ａ及びｂ：アイレット７を有する繊維条片１３は、自由なままであるが一方の側がチューブに固定され、他の構造体に面し、繊維条片１３は、アイレット７を通過しループ６０を形成するロープを跨いでいる。
【００６０】
解決ｂ及びｃ：一緒にすべきチューブのいずれかの側に取り付けたアイレット７を有する２個の繊維条片１０、図３で説明したように、２個の繊維条片の上下にロープを縫うように通した２個の繊維条片か、又は端対端に置かれたアイレット１３を有する２個の繊維条片に、図４ｆで説明したように、これらを一緒にするために、ロープをジグザグ状に通過させる。
【００６１】
解決ｄ：２セットの係留けい柱６６の各々が、結合すべき各チューブの何れかの側に結合された繊維条片６７の上にあり、図４ｇで説明したように、ロープが一方のけい柱から他方のけい柱に縫うように通してある。
【００６２】
図面で説明した全ての状況において、繊維条片４９が、繊維条片１０の一方に結合され、固定手段を覆うのに使用される。この繊維条片４９は、ロープを取り付けると、折られる。
【００６３】
一緒にしたときチューブ８が他方と確実に接触するようにするため、モジュールの一方と他方との食い違いに配設するのが有用である。
スイミングプールのための構造物に重みを付加
スイミングプールの救命装置の使用を含む用途のため、格子を重くするための一つの解決法は、格子は一個だけではなく、膨張構造体の下に配置した金属から形成される第２の格子を装備することである。格子は、その場所で結合／分離を可能とする、接合具、コーナー２５、Ｔ−バー２３及び十字形２４を有し、その中を支柱又はバー２２がスライドする繊維条片２６によって、膨張構造体に結合される。この第２の格子の外周は、この格子がスイミングプールの端にできるだけ近くなるように固定される。図１３、１４ａ，１４ｂ。
【００６４】
膨張し得る格子が収縮した場合に、この金属製グリルがスイミングプールの底面に座るか、スイミングプールの底面に埋められ得る、その外形の面影が再現される織物のケーシングに納められる。
ストップ
金属製グリルがスイミングプールの壁に突き当たるのを防止するため、摩擦を回避するゴム製保護要素又はストリップを備えるのが必要となるだろう。変法として、ストップ要素は、格子の周りの感じ易い部分又はスイミングプールの壁のいずれかに、固定する。
構造体への内部アクセス
内部から構造体にアクセスするエアー分布網を装備するため、救命装置が適所に置かれた場合、密封トラップを十字形、Ｔ−バー又はコーナーに結合させる。
アクセスの禁止／安全性
スイミングプールの中央又はそこから離れて広がる他の域の一体の水に位置したスポーツ設備のため、構造体の下を泳ぐことを防止する必要があるなら、構造体の底面周囲の周りに位置した固定手段を取り付ける必要がある。重量のあるネットを、全周にフックで止めることができ、ネット４７は重量で底に沈んで、この域へのアクセスを防止する。この目的に使用する手段としては、例えば底面の所定の外周に所定の間隔で結合させた、構造体の周りを通るロープを有するつな輪、D-形状リング、即ち半円状リング、又はループを含む。ネットを固定するため、フック若しくは小クリップを使用することもできる。これらのオプションは制限されない。図２０に示すように、重量は、例えば絶縁材料中に入れられた鉛を含む細片又は重りによって、付与され得る。
安定化
水環境、スイミングプール、湖、海におけるスポーツ設備は、音を確保するためロープ又はからびんによって安定化される。
強化テープ
構造体が、使用法を無視して、スイミングプールの最低部、凸凹の水底又は基部、又は壁に衝突しそうな場合は、ゴム６８又は他の材料からなる強化テープを固定するのが得策である。このテープは、チューブに使用する織物に結合させることができる。このテープは、磨耗を受け易い下、上、側面の如何なる箇所にもなされうる、図１６。
継目
チューブが、冷接着に基づく技術、又はハイブリッド技術を使用して製造された場合は、内及び外の継目は、完全なシールを確保するため、狭い繊維片で強化されるだろう。
強化膨張構造体
高周波超音波加熱溶接技術が使用された場合は、膨張式チューブの構造は、膨張式マットレスに使用されるような、管状エレメント５７を組み込むことによって強化される。図８で説明したように、アイレット７を有する繊維条片１０、ハンドルを形成するのに使用する織物のストリップを、それから強化材に結合させる。
雪／水への適用
ボート形の構造体は、摩擦の危険性があり得る下及び側面に強化片を有する；アイレット７を有する繊維条片１０に、ロープ１１又は両端フックによって、又は係留けい柱の２個のストリップによって結合した帆布又はネット１８のための１個以上の横材２８と、舵及びブレーキシステムを有する構造体は、ハンドル１５、安全ベルト２９も備え、それから雪で覆われた斜面を下降したり昇るトボガン（平底そり）またはボブになる。後部に載せたブレーキ及び舵システム並びにモータは、任意の取り外しし得る特徴である。この利点は、装備を取り除いて、空気を抜いて、小スペースを取り得るボブを、折り畳み、バッグに収容してチューブを保護し得ることである。使用者は、更に安楽のため、帆布又は横材の上に座ることができる。弾性ネットを、手荷物を運ぶため横木に固定することができ、立つ又は座るポジションで舵を取るため、チューブのいずれかの内面に足置きを固定又は結合させることができる。図１５、１６、１７a、１７b，１８a，１８b。
【００６５】
夏には、後部にモーターを固定し、オールを備えて水上で使用することができる。アイレット７を有するヘリ、帆布は、例えば次のようにして、耐水性にする：繊維条片５４をアイレット１０ｂを有する繊維条片に隣接して、これらを覆うように外周に付着させ、コーナーを形成し、繊維条片５４に形成された一連のボタン穴により固定され、一連のボタン５３がゴム片上に載せられているチューブにフックで止まるチューブ上に掲げることによって適用される。繊維条片５４は、吸盤として作用する片を含む、図２２。繊維条片５４は、帆布の取り付けができるように折り畳まれる。
【００６６】
変法として、ボタンは平坦なフックであり得る。別の解決法：耐水性ジッパーを、一方の側をチューブに他方の側を帆布を有する繊維条片に結合させる。これら解決法は、何ら限定されることを意図しない。
舵ブレーキシステム
例えばハンドルバー３１を有する関節でつながった曲げ易い管状軸又は舵軸３０からなり、その高さは調節し得る。舵軸３０上に備わったオリフィス３４を挿通した金属ロッド３５によって、その高さ位置はロックされる。
【００６７】
管状軸３３は、横切ったバー３２に遊嵌し、該バーは幅が伸張してもしなくともよく、バー底部の左右の各々の端にロッド４０を有し、該ロッドはネジであっても無くともよく、ロッドの各々は、ボブ（bob）の内前部の何れかの側に固定される雌取り付け固定手段４１内に位置する、図１７a、１７b。ネジの付いたロッドは、ナット又は蝶ナットと螺合する。
【００６８】
管状軸３０は、該軸を挿通する金属ロッド３５を有し、装置がピボットし得るように横切ったバー上に自由に位置している。
【００６９】
舵を支持するように設計された別の具体例においては、トボガンを形成するチューブの内側または外側前部分の形状に適合する部分は、ラダー軸３０を受け入れるための管状部５６を有し、この部分の上端部は高台５７を形成し、その上に舵軸３０を嵌挿したロッド３５が、図２３で説明したように位置している。摩擦を避けるため、ロッド３５のピボット動作を表す環状の空洞が、横切ったバー３２、図１７a、又は支持高台５７上のいずれかに備えられ得る。
ブレーキシステムの固定
管状軸３０の底部にはフック３８またはループが取り付けられ、その上にスプリング又は大きな弾性部材が固定され、これらは順にフック３８により固定され、これにより管状軸３０に結合し、プレートはブレーキ３６として作用する、図２３。
【００７０】
プレート３６の後部のプリング又は弾性部材は、徐々にブレーキ作用を与えるように、より短くなっており、及び／又は異なる牽引力を有する。
【００７１】
曲げ易いプレート３６の後部３９は、雪を払いのけ、これにより舵３１を真直ぐに保ち、その結果いかだは雪の中を真直ぐに走り、視界は２個のチューブの間の一緒になった点の前で固定され得る。開口は帆布の中で自由のままであり、その中に足を挿入することができる。
【００７２】
足置き４４は、雪を払いのける部分の僅かに上に固定される。曲げ易い部分３９に続く部分は、ジョイント又はヒンジによって結合され、又は同じ材料であるがより堅い材料で形成され、そしてこの部分が使い古されると、交換し得るのが望ましい。
ブレーキの別の解決法
曲げ易い材料でZ 形の部分が、二つのプレート３６間に固定されている、図１８a。上端のプレート３６は、ブレーキプレート３６を結合し、ぶら下げることを可能とするフック３８を外端に有し、後者は強い弾性エレメント３７又はスプリング４３によってチューブに結合され、弾性エレメント３７又はスプリング４３は、チューブ８上の所望の高さに配置したフック３８に結合している。
ブレーキ
ブレーキは、左又は右足又は両足の足で、プレート３６を降下させることにより作動し、それから足を上げてプレートを上昇させる。ブレーキ作用は、押し下げる作用を硬くすればするほど強くなる。
トボガンの手での操舵
変法として、舵軸３０は、二つのブレーキプレート又はブレーキ／操舵プレート３６上に直接載せた軸上で支持されるケーブル及びスプリングによってハンドルバー３１から手動で制御され、ブレーキ／操舵プレート３６は、真直ぐ進むために真直ぐに保たれ、方向を変えるため、僅かに傾斜し、ブレーキは、軸に多少圧力を適用することによって行われる。ボブは、座った位置又は立った位置から駆動することができる、図２３。腕の力を使用する操舵のため、足置き７１は、図１６、チューブのいずれかの側のトボガンの内面に固定される。
【００７３】
たった一つの席又は多数の席を有する、各席又は１若しくは２の席に帆布を有する、又は帆布を有さないボブ又はトボガンを形成することができる。所望によっては、折り畳みし得る若しくはし得ない席は、溶接又は接着、例えば、図１７Bのタイプ４１の固定手段によって、横木に固定される。
【図面の簡単な説明】
【００７４】
【図１】
2006525042.tif 000003
【図２】
2006525042.tif 000004
【図３】
2006525042.tif 000005
2006525042.tif 000006
2006525042.tif 000007
【図５】
2006525042.tif 000008
【図６】
2006525042.tif 000009
【図７】
2006525042.tif 000010
【図８】
2006525042.tif 000011
【図９】
2006525042.tif 000012
【図１０】
2006525042.tif 000013
【図１１】
2006525042.tif 000014
【図１２】
2006525042.tif 000015
【図１３】
2006525042.tif 000016
2006525042.tif 000017
【図１５】
2006525042.tif 000018
【図１６】
2006525042.tif 000019
2006525042.tif 000020
2006525042.tif 000021
【図１９】
2006525042.tif 000022
【図２０】
2006525042.tif 000023
2006525042.tif 000024
2006525042.tif 000025
【図２２】
2006525042.tif 000026
【図２３】
2006525042.tif 000027
【図２４】
2006525042.tif 000028
【図２５】
2006525042.tif 000029
【図２６】
2006525042.tif 000030
【国際調査報告】
2006525042.tif 000031
2006525042.tif 000032
2006525042.tif 000033
2006525042.tif 000034
2006525042.tif 000035
2006525042.tif 000036